(57)【要約】【課題】光源の前方に透光部材が配置された車両用灯具において、透光部材の肉厚を部分的に極端に厚くすることなく、光源からの光を透光部材から前方へ向けて精度良く出射させることを可能とする。【解決手段】透光部材３０の出射面３２を、外周側へ向かうにつれて前方側に位置するように配置された５つの出射領域３２Ａおよび１つの出射領域３２Ｂを備えた構成とする。これにより透光部材３０の後面形状が回転曲面状に形成されているにもかかわらず、透光部材３０の肉厚を部分的に極端に厚くすることなく、光源２０からの光を前方へ向けて出射可能とする。その際、５つの出射領域３２Ａを灯具正面視において多重の矩形状に区分けした上で、各出射領域３２Ａをさらに複数の出射素子３２Ａｓに区分けする。これにより各出射素子３２Ａｓ相互間の境界線を灯具正面視において直線状に設定可能とし、各出射素子３２Ａｓからの出射光を拡散制御する際の精度を高める。【選択図】図４
2016207470.tif 000002
【特許請求の範囲】
【請求項１】
光源および該光源の前方に配置された透光部材を備えた車両用灯具において、
上記透光部材は、該透光部材に入射した上記光源からの光を前方へ向けて出射させる出射面を備えており、
上記出射面は、灯具正面視において多重の多角形状に区分けされた状態で、外周側へ向かうにつれて前方側に位置するように配置された複数の出射領域を備えており、
上記複数の出射領域のうち少なくとも一部の出射領域は、複数の出射素子に区分けされている、ことを特徴とする車両用灯具。
【請求項２】
上記出射面は、灯具正面視において多重の矩形状に区分けされている、ことを特徴とする請求項１記載の車両用灯具。
【請求項３】
上記透光部材は、該透光部材に入射した上記光源からの光を前方へ向けて直接出射させる第１光制御部と、透光部材に入射した上記光源からの光を内面反射させた後に前方へ向けて出射させる第２光制御部とを備えている、ことを特徴とする請求項１または２記載の車両用灯具。
【請求項４】
上記透光部材は、上下方向に傾斜した状態で配置されており、
上記各出射素子は、楔状の鉛直断面形状で水平方向に延びるように形成されている、ことを特徴とする請求項１〜３いずれか記載の車両用灯具。
【発明の詳細な説明】
【技術分野】
【０００１】
本願発明は、光源および該光源の前方に配置された透光部材を備えた車両用灯具に関するものである。
【背景技術】
【０００２】
従来より、車両用灯具の構成として、光源の前方に配置された透光部材によって、光源からの光を前方へ向けて出射させるように構成されたものが知られている。
【０００３】
「特許文献１」には、このような車両用灯具において、その透光部材の出射面の構成として、灯具正面視において多重の円形状に区分けされた状態で、外周側へ向かうにつれて前方側に位置するように配置された複数の出射領域を備えたものが記載されている。
【先行技術文献】
【特許文献】
【０００４】
【特許文献１】特開２００５−２０３１１１号公報
【発明の概要】
【発明が解決しようとする課題】
【０００５】
上記「特許文献１」に記載されているような透光部材を採用することにより、その後面形状を回転曲面またはこれに近い形状にした場合においても、透光部材の肉厚を部分的に極端に厚くすることなく、光源からの光を前方へ向けて出射させることが可能となる。
【０００６】
しかしながら、上記「特許文献１」記載の透光部材は、その出射面が灯具正面視において多重の円形状に区分けされているので、各出射領域を複数の出射素子に区分けしたとしても、これら各出射素子からの出射光を拡散制御あるいは偏向制御する際の精度を高めることが容易でない。
【０００７】
本願発明は、このような事情に鑑みてなされたものであって、光源および該光源の前方に配置された透光部材を備えた車両用灯具において、透光部材の肉厚を部分的に極端に厚くすることなく、光源からの光を透光部材から前方へ向けて精度良く出射させることができる車両用灯具を提供することを目的とするものである。
【課題を解決するための手段】
【０００８】
本願発明は、透光部材の構成に工夫を施すことにより、上記目的達成を図るようにしたものである。
【０００９】
すなわち、本願発明に係る車両用灯具は、
光源および該光源の前方に配置された透光部材を備えた車両用灯具において、
上記透光部材は、該透光部材に入射した上記光源からの光を前方へ向けて出射させる出射面を備えており、
上記出射面は、灯具正面視において多重の多角形状に区分けされた状態で、外周側へ向かうにつれて前方側に位置するように配置された複数の出射領域を備えており、
上記複数の出射領域のうち少なくとも一部の出射領域は、複数の出射素子に区分けされている、ことを特徴とするものである。
【００１０】
上記「光源」の種類は特に限定されるものではなく、例えば発光ダイオードやレーザダイオード等が採用可能である。
【００１１】
上記「複数の出射領域」は、灯具正面視において多重の多角形状に区分けされた状態で、外周側へ向かうにつれて前方側に位置するように配置されていれば、その具体的な配置や形状は特に限定されるものではない。さらに、上記「複数の出射領域」は、灯具正面視において多重の多角形状に区分けされていれば、必ずしも同心状に区分けされていなくてもよく、また、必ずしも全周にわたって形成されていなくてもよい。
【発明の効果】
【００１２】
本願発明に係る車両用灯具の透光部材は、該透光部材に入射した光源からの光を前方へ向けて出射させる出射面を備えているが、この出射面は、外周側へ向かうにつれて前方側に位置するように配置された複数の出射領域を備えているので、透光部材の後面形状を回転曲面またはこれに近い形状にした場合においても、透光部材の肉厚を部分的に極端に厚くすることなく、光源からの光を前方へ向けて出射させることができる。
【００１３】
その上で、上記複数の出射領域は、灯具正面視において多重の多角形状に区分けされており、これらのうち少なくとも一部の出射領域は複数の出射素子に区分けされているので、各出射素子相互間の境界線を灯具正面視において直線状に設定することができる。そしてこれにより、各出射素子からの出射光を拡散制御あるいは偏向制御する際の精度を高めることができる。
【００１４】
このように本願発明によれば、光源および該光源の前方に配置された透光部材を備えた車両用灯具において、透光部材の肉厚を部分的に極端に厚くすることなく、光源からの光を透光部材から前方へ向けて精度良く出射させることができる。
【００１５】
上記構成において、出射面が灯具正面視において多重の矩形状に区分けされた構成とすれば、各出射素子相互間の境界線を灯具正面視において直交する２方向に延びる直線状に設定することができ、これにより各出射素子からの出射光を互いに直交する２方向（例えば上下方向および水平方向）に精度良く拡散制御あるいは偏向制御することができる。
【００１６】
上記構成において、透光部材の構成として、該透光部材に入射した光源からの光を前方へ向けて直接出射させる第１光制御部と、透光部材に入射した光源からの光を内面反射させた後に前方へ向けて出射させる第２光制御部とを備えた構成とすれば、光源からの光を透光部材の部位に応じて効率良く利用することができる。
【００１７】
上記構成において、透光部材が上下方向に傾斜した状態で配置された構成となっている場合には、各出射素子が楔状の鉛直断面形状で水平方向に延びるように形成された構成とすれば、透光部材が上下方向に傾斜しているにもかかわらず、各出射素子からの出射光を灯具正面方向寄りの方向へ向かう光とすることが容易に可能となる。
【図面の簡単な説明】
【００１８】
【図１】本願発明の一実施形態に係る車両用灯具を示す側断面図
【図２】上記車両用灯具の透光部材を光源と共に示す正面図
【図３】図２のIII−III線断面図
【図４】図３のIV方向矢視図
【図５】上記実施形態の作用を従来例と比較して示す図
【図６】上記実施形態の変形例に係る車両用灯具を示す側断面図
【図７】上記変形例の透光部材を光源と共に示す正面図
【図８】上記変形例の透光部材を光源と共に示す斜視図
【図９】上記変形例の作用を従来例と比較して示す図
【発明を実施するための形態】
【００１９】
以下、図面を用いて、本願発明の実施の形態について説明する。
【００２０】
図１は、本願発明の一実施形態に係る車両用灯具１０を示す側断面図である。
【００２１】
同図に示すように、本実施形態に係る車両用灯具１０は、車両後部に配置されるテールランプであって、ランプボディ１２と透明なアウターカバー１４とで形成される灯室内に光源２０と透光部材３０とが収容された構成となっている。
【００２２】
光源２０は、赤色発光ダイオードであって、基板２２に搭載された状態で灯具前方（車両としては後方）へ向けて配置されている。この基板２２はランプボディ１２に支持されている。
【００２３】
透光部材３０は、透明な合成樹脂成形品で構成されている。この透光部材３０は、光源２０の前方に配置されており、その上下両端部に形成されたブラケット３０ａにおいてランプボディ１２に支持されている。
【００２４】
この透光部材３０は、光源２０の発光中心を通るようにして灯具前後方向に延びる軸線Ａｘを中心としてその近傍に位置する第１光制御部３０Ａと、この第１光制御部３０Ａの周囲に位置する環状の第２光制御部３０Ｂとを備えている。これら第１光制御部３０Ａおよび第２光制御部３０Ｂは、いずれも軸線Ａｘを中心とする円形の外形形状を有している。
【００２５】
第１光制御部３０Ａは、該第１光制御部３０Ａに入射した光源２０からの光を前方へ向けて直接出射させるように構成されている。一方、第２光制御部３０Ｂは、該第２光制御部３０Ｂに入射した光源２０からの光を内面反射させた後に前方へ向けて出射させるように構成されている。
【００２６】
第１光制御部３０Ａの後面３４Ａは、軸線Ａｘを中心とする凸曲面状の回転曲面で構成されている。そして、この後面３４Ａにおいて、光源２０の発光中心からの出射光を軸線Ａｘと平行な方向へ向けて入射させるようになっている。
【００２７】
第２光制御部３０Ｂの後面３４Ｂは、光源２０からの出射光を軸線Ａｘから離れる方向へ屈折させるようにして入射させる入射面３４Ｂ１と、この入射面３４Ｂ１からの入射光を全反射により前方へ向けて内面反射させる反射面３４Ｂ２とを備えている。その際、入射面３４Ｂ１は、軸線Ａｘを中心とする円筒面に近い円錐面で構成されている。また、反射面３４Ｂ２は、軸線Ａｘを中心とする凸曲面状の回転曲面で構成されている。そして、この反射面３４Ｂ２において、入射面３４Ｂ１から入射した光源２０の発光中心からの光を軸線Ａｘと平行な方向へ向けて反射させるようになっている。
【００２８】
図２は、透光部材３０を光源２０と共に示す正面図である。また、図３は、図２のIII−III線断面図であり、図４は、図３のIV方向矢視図である。なお、これらの図においては、透光部材３０を、そのブラケット３０ａを省略した状態で示している。
【００２９】
これらの図にも示すように、透光部材３０において、該透光部材３０に入射した光源２０からの光を前方へ向けて出射させる出射面３２は、灯具正面視において軸線Ａｘを中心とする円形の外形形状を有している。
【００３０】
この出射面３２は、灯具正面視において多重の矩形状に区分けされた５つの出射領域３２Ａと、その外周側に位置する出射領域３２Ｂとで構成されている。
【００３１】
５つの出射領域３２Ａは、灯具正面視において軸線Ａｘを中心とする正方形を境界線として、同一幅で同心状に区分けされている。
【００３２】
また、これら５つの出射領域３２Ａおよび１つの出射領域３２Ｂは、軸線Ａｘから外周側へ向かうにつれて前方側に位置するように配置されている。その際、これら５つの出射領域３２Ａおよび１つの出射領域３２Ｂは、前後方向に等間隔をおいて階段状に形成されている。
【００３３】
各出射領域３２Ａは、それぞれ複数の出射素子３２Ａｓに区分けされている。その際、これら複数の出射素子３２Ａｓは、左右方向に等間隔で縦縞状に区分けされており、各出射素子３２Ａｓは凸曲線状の水平断面形状を有している。そしてこれにより、各出射素子３２Ａｓは、該出射素子３２Ａｓに到達した光源２０からの光を左右方向に拡散する光として前方へ向けて出射させるようになっている。
【００３４】
また、出射領域３２Ｂも、複数の出射素子３２Ｂｓに区分けされている。これら複数の出射素子３２Ｂｓも、左右方向に等間隔で縦縞状に区分けされており、各出射素子３２Ｂｓは凸曲線状の水平断面形状を有している。そしてこれにより、各出射素子３２Ｂｓも、該出射素子３２Ｂｓに到達した光源２０からの光を左右方向に拡散する光として前方へ向けて出射させるようになっている。
【００３５】
図５は、本実施形態の作用を従来例と比較して示す図である。
【００３６】
同図（ａ１）は、本実施形態の透光部材３０を示す正面図であり、同図（ａ２）は、この透光部材３０からの出射光によって形成される配光パターンＰ１を示す図である。
【００３７】
一方、同図（ｂ１）は、従来例に係る透光部材５３０を示す正面図であり、同図（ｂ２）は、この透光部材５３０からの出射光によって形成される配光パターンＰ１´を示す図である。
【００３８】
透光部材５３０は、その基本的な構成については本実施形態の透光部材３０と同様であるが、その出射面５３２が灯具正面視において多重の円形状に区分けされた複数の出射領域５３２Ａを備えた構成となっている点で、本実施形態の場合と異なっている。その際、各出射領域５３２Ａは、それぞれ複数の出射素子５３２Ａｓに区分けされているが、その境界線は上下方向に延びる直線と円弧状の曲線とによって構成されている。
【００３９】
同図（ａ２）に示すように、透光部材３０からの出射光によって形成される配光パターンＰ１は、横長の配光パターンとして形成される。その際、この配光パターンＰ１は、その左右両端部においてもその左右中央部と略同じ上下幅を有する配光パターンとして形成され、かつ略均一な光度分布を有する配光パターンとして形成される。
【００４０】
このような配光パターンＰ１が形成されるのは、各出射素子３２Ａｓ相互間の境界線が灯具正面視において上下方向および水平方向に延びる直線で構成されており、これにより各出射素子３２Ａｓからの出射光を水平方向に精度良く拡散制御することができることによるものである。
【００４１】
一方、同図（ｂ２）に示すように、透光部材５３０からの出射光によって形成される配光パターンＰ１´も横長の配光パターンとして形成されるが、その左右両端部はその左右中央部よりも上下幅がかなり狭い配光パターンとして形成され、かつやや不均一な光度分布を有する配光パターンとして形成される。
【００４２】
このような配光パターンＰ１´が形成されるのは、各出射素子５３２Ａｓ相互間の境界線の一部が円弧状の曲線で構成されており、これにより各出射素子５３２Ａｓからの出射光を水平方向に精度良く拡散制御することができないことによるものである。
【００４３】
次に、本実施形態の作用効果について説明する。
【００４４】
本実施形態に係る車両用灯具１０の透光部材３０は、該透光部材３０に入射した光源２０からの光を前方へ向けて出射させる出射面３２を備えているが、この出射面３２は、外周側へ向かうにつれて前方側に位置するように配置された５つの出射領域３２Ａおよび１つの出射領域３２Ｂを備えているので、透光部材３０の後面形状が回転曲面状に形成されているにもかかわらず、透光部材３０の肉厚を部分的に極端に厚くすることなく、光源２０からの光を前方へ向けて出射させることができる。
【００４５】
その上で、５つの出射領域３２Ａは、灯具正面視において多重の多角形状に区分けされており、これら各出射領域３２Ａは複数の出射素子３２Ａｓに区分けされているので、各出射素子３２Ａｓ相互間の境界線を灯具正面視において直線状に設定することができる。そしてこれにより、各出射素子３２Ａｓからの出射光を拡散制御する際の精度を高めることができる。
【００４６】
このように本実施形態によれば、光源２０および該光源２０の前方に配置された透光部材３０を備えた車両用灯具１０において、透光部材３０の肉厚を部分的に極端に厚くすることなく、光源２０からの光を透光部材３０から前方へ向けて精度良く出射させることができる。
【００４７】
特に本実施形態においては、出射面３２が灯具正面視において多重の矩形状に区分けされており、各出射素子３２Ａｓ相互間の境界線が灯具正面視において上下方向および水平方向に延びる直線状に設定されているので、各出射素子３２Ａｓからの出射光を左右方向に精度良く拡散制御することができる。
【００４８】
また本実施形態においては、透光部材３０が、該透光部材３０に入射した光源２０からの光を前方へ向けて直接出射させる第１光制御部３０Ａと、透光部材３０に入射した光源２０からの光を内面反射させた後に前方へ向けて出射させる第２光制御部３０Ｂとを備えているので、光源２０からの光を透光部材３０の部位に応じて効率良く利用することができる。
【００４９】
上記実施形態においては、透光部材３０における第２光制御部３０Ｂの後面３４Ｂが回転曲面で構成されているものとして説明したが、これ以外の曲面あるいは複数の平面で構成されたものとすることも可能である。
【００５０】
上記実施形態においては、透光部材３０の出射面３２が灯具正面視において多重の矩形状に区分けされているものとして説明したが、これ以外の多重の多角形状（例えば菱形や六角形等）に区分けされたものとすることも可能である。
【００５１】
上記実施形態においては、車両用灯具１０がテールランプである場合について説明したが、車両に設けられる箇所や機能にかかわらず、上記実施形態と同様の構成を採用することにより上記実施形態と同様の作用効果を得ることができる。
【００５２】
次に、上記実施形態の変形例について説明する。
【００５３】
図６は、本変形例に係る車両用灯具１１０を示す側断面図である。
【００５４】
同図に示すように、本変形例に係る車両用灯具１１０も、その基本的な構成は上記実施形態の場合と同様であるが、透光部材１３０の構成および光源２０の配置が上記実施形態の場合と一部異なっている。これに伴って、本変形例のランプボディ１１２およびアウターカバー１１４も、上記実施形態の場合とその形状が一部異なっている。
【００５５】
本変形例においては、透光部材１３０および光源２０が前方へ向かって斜め上向きに傾斜した状態で配置されており、その上下両端部に形成されたブラケット１３０ａにおいてランプボディ１１２に支持されている。
【００５６】
透光部材１３０は、光源２０の発光中心を通るようにして斜め上前方へ延びる軸線Ａｘを中心としてその近傍に位置する第１光制御部１３０Ａと、この第１光制御部３０Ａの周囲に位置する環状の第２光制御部１３０Ｂとを備えている。これら第１光制御部１３０Ａおよび第２光制御部１３０Ｂは、いずれも軸線Ａｘを中心とする円形の外形形状を有している。
【００５７】
第１光制御部１３０Ａは、該第１光制御部１３０Ａに入射した光源２０からの光を前方へ向けて直接出射させるように構成されている。一方、第２光制御部１３０Ｂは、該第２光制御部１３０Ｂに入射した光源１２０からの光を内面反射させた後に前方へ向けて出射させるように構成されている。
【００５８】
第１光制御部１３０Ａの後面１３４Ａは、軸線Ａｘを中心とする凸曲面状の回転曲面で構成されている。そして、この後面１３４Ａにおいて、光源２０の発光中心からの出射光を軸線Ａｘと平行な方向へ向けて入射させるようになっている。
【００５９】
第２光制御部１３０Ｂの後面１３４Ｂは、光源２０からの出射光を軸線Ａｘから離れる方向へ屈折させるようにして入射させる入射面１３４Ｂ１と、この入射面１３４Ｂ１からの入射光を全反射により前方へ向けて内面反射させる反射面１３４Ｂ２とを備えている。その際、入射面１３４Ｂ１は、軸線Ａｘを中心とする円筒面に近い円錐面で構成されている。また、反射面１３４Ｂ２は、軸線Ａｘを中心とする凸曲面状の回転曲面で構成されている。そして、この反射面１３４Ｂ２において、入射面１３４Ｂ１から入射した光源２０の発光中心からの光を軸線Ａｘと平行な方向へ向けて反射させるようになっている。
【００６０】
図７は、透光部材１３０を光源２０と共に示す正面図である。また、図８は、透光部材１３０を光源２０と共に示す斜視図である。
【００６１】
これらの図にも示すように、透光部材１３０において、該透光部材１３０に入射した光源２０からの光を前方へ向けて出射させる出射面１３２は、灯具正面視において円形の外形形状を有している。
【００６２】
この出射面１３２は、灯具正面視において多重の矩形状に区分けされた５つの出射領域１３２Ａと、その外周側に位置する出射領域１３２Ｂとで構成されている。
【００６３】
５つの出射領域１３２Ａは、灯具正面視において軸線Ａｘと出射面１３２との交点を中心とする正方形の境界線により同一幅で同心状に区分けされている。
【００６４】
また、これら５つの出射領域１３２Ａおよび１つの出射領域１３２Ｂは、軸線Ａｘから外周側へ向かうにつれて前方側に位置するように配置されている。
【００６５】
これら各出射領域１３２Ａは、それぞれ複数の出射素子１３２Ａｓに区分けされている。その際、これら複数の出射素子１３２Ａｓは、上下方向に等間隔で横縞状に区分けされており、各出射素子１３２Ａｓは楔状の鉛直断面形状で水平方向に延びるように形成されている。そしてこれにより、各出射素子１３２Ａｓは、該出射素子１３２Ａｓに到達した光源２０からの光を下向きに偏向させて灯具正面方向へ向けて出射させるようになっている。
【００６６】
また、出射領域１３２Ｂも、複数の出射素子１３２Ｂｓに区分けされている。その際、これら複数の出射素子１３２Ｂも、上下方向に等間隔で横縞状に区分けされており、各出射素子１３２Ｂｓは楔状の鉛直断面形状で水平方向に延びるように形成されている。そしてこれにより、各出射素子１３２Ｂｓも、該出射素子１３２Ｂｓに到達した光源２０からの光を下向きに偏向させて灯具正面方向へ向けて出射させるようになっている。
【００６７】
図９は、本変形例の作用を従来例と比較して示す図である。
【００６８】
同図（ａ１）は、本変形例の透光部材１３０を示す正面図であり、同図（ａ２）は、この透光部材１３０からの出射光によって形成される配光パターンＰ２を示す図である。
【００６９】
一方、同図（ｂ１）は、従来例に係る透光部材６３０を示す正面図であり、同図（ｂ２）は、この透光部材６３０からの出射光によって形成される配光パターンＰ２´を示す図である。
【００７０】
透光部材６３０は、その基本的な構成については本変形例の透光部材１３０と同様であるが、その出射面６３２が灯具正面視において多重の円形状に区分けされた複数の出射領域６３２Ａを備えた構成となっている点で、本変形例の場合と異なっている。その際、各出射領域６３２Ａは、それぞれ複数の出射素子６３２Ａｓに区分けされているが、その境界線は水平方向に延びる直線と円弧状の曲線とによって構成されている。
【００７１】
同図（ａ２）に示すように、透光部材１３０からの出射光によって形成される配光パターンＰ２は、やや縦長のスポット状の配光パターンとして形成される。その際、この配光パターンＰ２は、略矩形状の外形形状を有する配光パターンとして形成され、かつ略均一な光度分布を有する配光パターンとして形成される。
【００７２】
このような配光パターンＰ２が形成されるのは、各出射素子１３２Ａｓ相互間の境界線が灯具正面視において上下方向および水平方向に延びる直線で構成されており、これにより各出射素子１３２Ａｓからの出射光を上下方向に精度良く偏向制御することができることによるものである。
【００７３】
一方、同図（ｂ２）に示すように、透光部材６３０からの出射光によって形成される配光パターンＰ２´も、やや縦長の配光パターンとして形成されるが、そ上下左右の各コーナ部が欠けた配光パターンとして形成され、かつやや不均一な光度分布を有する配光パターンとして形成される。
【００７４】
このような配光パターンＰ２´が形成されるのは、各出射素子６３２Ａｓ相互間の境界線の一部が円弧状の曲線で構成されており、これにより各出射素子６３２Ａｓからの出射光を上下方向に精度良く偏向制御することができないことによるものである。
【００７５】
次に、本変形例の作用効果について説明する。
【００７６】
本変形例の透光部材１３０は、該透光部材１３０に入射した光源２０からの光を前方へ向けて出射させる出射面１３２を備えているが、この出射面１３２は、外周側へ向かうにつれて前方側に位置するように配置された５つの出射領域１３２Ａおよび１つの出射領域１３２Ｂを備えているので、透光部材１３０の後面形状が回転曲面状に形成されているにもかかわらず、透光部材１３０の肉厚を部分的に極端に厚くすることなく、光源２０からの光を前方へ向けて出射させることができる。
【００７７】
その上で、５つの出射領域１３２Ａは、灯具正面視において多重の多角形状に区分けされており、これら各出射領域１３２Ａは複数の出射素子１３２Ａｓに区分けされているので、各出射素子１３２Ａｓ相互間の境界線を灯具正面視において直線状に設定することができる。そしてこれにより、各出射素子１３２Ａｓからの出射光を偏向制御する際の精度を高めることができる。
【００７８】
このように本変形例によれば、光源２０および該光源２０の前方に配置された透光部材１３０を備えた車両用灯具１１０において、透光部材１３０の肉厚を部分的に極端に厚くすることなく、光源２０からの光を透光部材１３０から前方へ向けて精度良く出射させることができる。
【００７９】
特に本変形例においては、出射面１３２が灯具正面視において多重の矩形状に区分けされており、各出射素子１３２Ａｓ相互間の境界線が灯具正面視において上下方向および水平方向に延びる直線状に設定されているので、透光部材１３０が上下方向に傾斜しているにもかかわらず、各出射素子１３２Ａｓ、１３２Ｂｓからの出射光を灯具正面方向寄りの方向へ向かう光とすることが容易に可能となる。
【００８０】
また本変形例においても、透光部材１３０が、該透光部材１３０に入射した光源２０からの光を前方へ向けて直接出射させる第１光制御部１３０Ａと、透光部材１３０に入射した光源２０からの光を内面反射させた後に前方へ向けて出射させる第２光制御部１３０Ｂとを備えているので、光源２０からの光を透光部材１３０の部位に応じて効率良く利用することができる。
【００８１】
上記変形例においては、各出射素子１３２Ａｓ、１３２Ｂｓが、該出射素子１３２Ａｓ、１３２Ｂｓに到達した光源２０からの光を下向きに偏向させて灯具正面方向へ向けて出射させるように構成されているものとして説明したが、その際、各出射素子１３２Ａｓ、１３２Ｂｓに到達した光源２０からの光を下向きに偏向させるとともに左右方向に拡散させるようにして出射させる構成とすることも可能である。
【００８２】
なお、上記実施形態およびその変形例において諸元として示した数値は一例にすぎず、これらを適宜異なる値に設定してもよいことはもちろんである。
【００８３】
また、本願発明は、上記実施形態およびその変形例に記載された構成に限定されるものではなく、これ以外の種々の変更を加えた構成が採用可能である。
【符号の説明】
【００８４】
１０、１１０  車両用灯具
１２、１１２  ランプボディ
１４、１１４  アウターカバー
２０  光源
２２  基板
３０、１３０  透光部材
３０Ａ、１３０Ａ  第１光制御部
３０Ｂ、１３０Ｂ  第２光制御部
３０ａ、１３０ａ  ブラケット
３２、１３２  出射面
３２Ａ、３２Ｂ、１３２Ａ、１３２Ｂ  出射領域
３２Ａｓ、３２Ｂｓ、１３２Ａｓ、１３２Ｂｓ  出射素子
３４Ａ、３４Ｂ、１３４Ａ、１３４Ｂ  後面
３４Ｂ１、１３４Ｂ１  入射面
３４Ｂ２、１３４Ｂ２  反射面
Ａｘ  軸線
Ｐ１、Ｐ２  配光パターン
【図１】
2016207470.tif 000003
【図２】
2016207470.tif 000004
【図３】
2016207470.tif 000005
【図４】
2016207470.tif 000006
【図５】
2016207470.tif 000007
【図６】
2016207470.tif 000008
【図７】
2016207470.tif 000009
【図８】
2016207470.tif 000010
【図９】
2016207470.tif 000011